(57)【要約】【課題】クロストーク共振のピーク値を抑制する電気コネクタを提供すること。【解決手段】実施形態の一態様に係る電気コネクタは、同軸ケーブルの外導体と電気的に接続されるシェル部材に形成され、相手コネクタのグランドコンタクト部材と直接接触し、グランド経路を形成するシェルグランド接続片と、相手コネクタのシェル部材と外導体とを電気的に接続し、グランド経路とは異なるグランド経路を形成するグランド接続片とを備える。【選択図】図３
2020184475.tif 000002
【特許請求の範囲】
【請求項１】
同軸ケーブルの外導体と電気的に接続されるシェル部材に形成され、相手コネクタのグランドコンタクト部材と直接接触し、グランド経路を形成するシェルグランド接続片と、
相手コネクタのシェル部材と前記外導体とを電気的に接続し、前記グランド経路とは異なるグランド経路を形成するグランド接続片と
を備えることを特徴とする電気コネクタ。
【請求項２】
前記グランド接続片は、前記シェルグランド接続片よりも前記同軸ケーブル寄りの位置に配置される
ことを特徴とする請求項１に記載の電気コネクタ。
【請求項３】
前記グランド接続片は、複数の前記同軸ケーブルの外導体を電気的に接続するグランドバーに形成される
ことを特徴とする請求項１または２に記載の電気コネクタ。
【請求項４】
前記グランド接続片は、前記シェルグランド接続片に電気的に接続する
ことを特徴とする請求項３に記載の電気コネクタ。
【請求項５】
前記グランド接続片は、前記シェルグランド接続片が形成される前記シェル部材に形成される
ことを特徴とする請求項１または２に記載の電気コネクタ。
【請求項６】
前記グランド接続片は、
前記相手コネクタのシェル部材と前記外導体とを電気的に接続する構成に加えて、
前記シェルグランド接続片が形成される前記シェル部材から立ち上がる突出部と、
前記突出部から前記グランドコンタクト部材に向けて延び、複数の前記同軸ケーブルの外導体を電気的に接続するグランドバーに形成される接続片と電気的に接続する延出部と
を備えることを特徴とする請求項５に記載の電気コネクタ。
【請求項７】
前記接続片は、前記シェルグランド接続片に電気的に接続する
ことを特徴とする請求項６に記載の電気コネクタ。
【発明の詳細な説明】
【技術分野】
【０００１】
開示の実施形態は、電気コネクタに関する。
【背景技術】
【０００２】
従来、複数の同軸ケーブルの外導体をグランドバーによって接続し、グランドバーから延出するグランド接続片を導電コンタクトに接続し、導電コンタクトを相手コネクタの導電コンタクトに接続する電気コネクタが知られている（例えば、特許文献１参照）。
【先行技術文献】
【特許文献】
【０００３】
【特許文献１】特開２０１０−２０５６０４号公報
【発明の概要】
【発明が解決しようとする課題】
【０００４】
上記電気コネクタと相手コネクタとが嵌合した状態で形成されるグランド経路は、グランドバー、グランド接続片、電気コネクタの導電コンタクト、および相手コネクタの導電コンタクトによって形成される。
【０００５】
そのため、グランド経路が信号の波長、または半波長に対して同程度の長さとなり、通電時に共振が発生し、クロストーク共振のピーク値が増大するおそれがある。
【０００６】
実施形態の一態様は、上記に鑑みてなされたものであって、クロストーク共振のピーク値を抑制する電気コネクタを提供することを目的とする。
【課題を解決するための手段】
【０００７】
実施形態の一態様に係る電気コネクタは、同軸ケーブルの外導体と電気的に接続されるシェル部材に形成され、相手コネクタのグランドコンタクト部材と直接接触し、グランド経路を形成するシェルグランド接続片と、相手コネクタのシェル部材と外導体とを電気的に接続し、グランド経路とは異なるグランド経路を形成するグランド接続片とを備える。
【発明の効果】
【０００８】
実施形態の一態様にかかる電気コネクタによれば、シェルグランド接続片によって形成されるグランド経路と、グランド接続片によって形成される異なるグランド経路とによって、グランド経路が増加されるので、クロストーク共振のピーク値を抑制することができる。
【図面の簡単な説明】
【０００９】
【図１】図１は、実施形態に係る電気コネクタにおけるプラグコネクタとリセプタクルコネクタとを示す斜視図である。
【図２】図２は、図１に示すプラグコネクタとリセプタクルコネクタとが嵌合した状態を示す図である。
【図３】図３は、図２に示すIII-III線に沿った断面図である。
【図４】図４は、図３におけるプラグコネクタを示す断面図である。
【図５】図５は、プラグコネクタの一部を示す斜視図である。
【図６】図６は、図５に示すプラグコネクタの平面図である。
【図７】図７は、プラグコネクタ、およびリセプタクルコネクタの一部を示す斜視図である。
【図８】図８は、プラグコネクタの第２シェル部材を示す斜視図である。
【図９】図９は、図８に示す第２シェル部材の平面図である。
【図１０】図１０は、比較例に係る電気コネクタのシミュレーション結果を示す図である。
【図１１】図１１は、実施形態に係る電気コネクタのシミュレーション結果を示す図である。
【図１２】図１２は、変形例に係る電気コネクタのシミュレーション結果を示す図である。
【発明を実施するための形態】
【００１０】
以下、添付図面を参照して、本願の開示する電気コネクタを説明する。なお、以下に示す実施形態によりこの発明が限定されるものではない。
【００１１】
＜１．電気コネクタの概略＞
まず、図１〜図３を参照して実施形態に係る電気コネクタ１の概略を説明する。実施形態に係る電気コネクタ１は、リセプタクルコネクタ１０（相手コネクタ）と、プラグコネクタ２０（電気コネクタ）とを有する。
【００１２】
なお、ここでは、説明の便宜上、プラグコネクタ２０（リセプタクルコネクタ１０）の長手方向をＹ軸正負方向とし、プラグコネクタ２０（リセプタクルコネクタ１０）の短手方向をＸ軸正負方向とする直交座標系を示す。
【００１３】
Ｘ軸正方向は、リセプタクルコネクタ１０に対するプラグコネクタ２０の差し込み方向であり、Ｘ軸負方向は、リセプタクルコネクタ１０に対するプラグコネクタ２０の抜去方向である。なお、Ｘ軸正方向を「前方」、およびＸ軸負方向を「後方」と称する場合がある。
【００１４】
また、Ｚ軸正負方向は、図１の紙面上方をＺ軸正方向とし、図１の紙面下方をＺ軸負方向とする。なお、Ｚ軸正方向を「上方」、およびＺ軸負方向を「下方」と称する場合がある。
【００１５】
電気コネクタ１は、複数の同軸ケーブル５０と、基板（不図示）とを電気的に接続する。電気コネクタ１では、一組の同軸ケーブル５０がプラグコネクタ２０の長手方向（Ｙ軸正負方向）に並んで配置される。一組の同軸ケーブル５０は、プラグコネクタ２０の長手方向に並んで配置された２本の同軸ケーブル５０によって形成される。一組の同軸ケーブル５０は、差動信号の伝送を行う。一組の同軸ケーブル５０は、プラグコネクタ２０の長手方向に沿って、予め設定された所定間隔を設けて配置される。
【００１６】
プラグコネクタ２０は、固定部材２８が図１に示す状態から上方に回動され、リセプタクルコネクタ１０に差し込まれる。これにより、図２、および図３に示すように、プラグコネクタ２０は、リセプタクルコネクタ１０に嵌合し、接続される。
【００１７】
なお、固定部材２８は、プラグコネクタ２０がリセプタクルコネクタ１０に嵌合した後に、リセプタクルコネクタ１０を覆うように下方に回動される。
【００１８】
＜２．リセプタクルコネクタ＞
次に、図１、および図３を参照してリセプタクルコネクタ１０の構成について説明する。リセプタクルコネクタ１０は、基板の主面に実装される。リセプタクルコネクタ１０は、ハウジング１１と、グランドコンタクト部材１２と、信号コンタクト部材１３と、第１シェル部材１４と、第２シェル部材１５とを有する。
【００１９】
ハウジング１１は、絶縁性の樹脂によって形成される。ハウジング１１には、図３に示すように、後端が開口する凹部１１ａが形成される。凹部１１ａは、プラグコネクタ２０が挿入される嵌合空間４０を形成する。凹部１１ａは、リセプタクルコネクタ１０の長手方向（Ｙ軸正負方向）に沿って延びるように形成される。なお、嵌合空間４０の一部は、第２シェル部材１５によって形成される。
【００２０】
また、ハウジング１１の前壁部１１ｂには、図１に示すように、複数のグランドコンタクト部材１２、および複数の信号コンタクト部材１３が圧入され取り付けられる。なお、複数のグランドコンタクト部材１２、および複数の信号コンタクト部材１３は、インサート成形によってハウジング１１と一体的に形成されてもよい。
【００２１】
ハウジング１１には、グランドコンタクト部材１２、および一組の信号コンタクト部材１３がリセプタクルコネクタ１０の長手方向（Ｙ軸正負方向）に沿って交互に取り付けられる。
【００２２】
グランドコンタクト部材１２は、導電性の金属部材によって形成される。グランドコンタクト部材１２は、図３に示すように、基板接続脚部１２ａと、弾性ビーム部１２ｂと、接続部１２ｃとを有する。
【００２３】
基板接続脚部１２ａは、ハウジング１１よりも前方に配置される。基板接続脚部１２ａは、基板の主面に沿って延びるように形成され、基板上のグランド導電路（不図示）に載置された状態で、例えば、半田接合される。
【００２４】
接続部１２ｃは、基板接続脚部１２ａの後端から上方に沿って形成される。接続部１２ｃは、基板接続脚部１２ａと同様にハウジング１１よりも前方に配置される。
【００２５】
弾性ビーム部１２ｂは、接続部１２ｃの上端から後方に沿って延びるように形成される。弾性ビーム部１２ｂは、ハウジング１１の前壁部１１ｂを貫通し、前壁部１１ｂによって支持された状態で、嵌合空間４０に突出する。すなわち、弾性ビーム部１２ｂは、ハウジング１１によって片持ち状に支持され、嵌合空間４０においてＺ軸正負方向に弾性変形可能である。
【００２６】
弾性ビーム部１２ｂの後端には、下方に向けて突出する凸部１２ｄが形成される。凸部１２ｄは、嵌合空間４０にプラグコネクタ２０が挿入された場合に、後述するプラグコネクタ２０の第１グランドコンタクト部材２４ｂの延出部２４ｆと接触し、第１グランドコンタクト部材２４ｂと電気的に接続される。
【００２７】
信号コンタクト部材１３は、図１に示すように、一組の信号コンタクト部材１３として、リセプタクルコネクタ１０の長手方向（Ｙ軸正負方向）に並んで配置される。一組の信号コンタクト部材１３は、リセプタクルコネクタ１０の長手方向に並んで配置された２本の信号コンタクト部材１３である。
【００２８】
一組の信号コンタクト部材１３は、リセプタクルコネクタ１０の長手方向（Ｙ軸正負方向）において、一組の同軸ケーブル５０に対応する位置に配置される。一組の信号コンタクト部材１３は、一組の同軸ケーブル５０と同様に、リセプタクルコネクタ１０の長手方向に沿って、予め設定された所定間隔を設けて配置される。
【００２９】
信号コンタクト部材１３は、基板接続脚部１３ａと、弾性ビーム部１３ｂと、接続部１３ｃとを有する。なお、信号コンタクト部材１３の具体的な形状は、グランドコンタクト部材１２の形状と同じであり、ここでの説明は省略する。
【００３０】
信号コンタクト部材１３は、後述するプラグコネクタ２０の信号コンタクト部材２２（図５、および図６参照）と電気的に接触し、信号伝達経路を形成する。
【００３１】
第１シェル部材１４は、導電性の金属部材によって形成される。第１シェル部材１４は、薄板状の金属部材をプレス加工することで形成される。第１シェル部材１４は、図１に示すように、上壁部１４ａと、前壁部１４ｂと、側壁部１４ｃとを有する。
【００３２】
上壁部１４ａは、ハウジング１１の上壁部１１ｃに沿って形成される。上壁部１４ａには、リセプタクルコネクタ１０の長手方向（Ｙ軸正負方向）の両端から前方に向けて突出する突出部１４ｄが形成される。
【００３３】
前壁部１４ｂは、突出部１４ｄの前端から下方に向けて形成される。また、前壁部１４ｂは、リセプタクルコネクタ１０の長手方向（Ｙ軸正負方向）に沿って延びるように形成される。前壁部１４ｂは、グランドコンタクト部材１２、および信号コンタクト部材１３よりも前方に形成される。
【００３４】
側壁部１４ｃは、リセプタクルコネクタ１０の長手方向（Ｙ軸正負方向）における上壁部１４ａの両端から下方に向けて形成される。側壁部１４ｃの下端には、基板の主面に沿った接合部１４ｅが形成される。
【００３５】
接合部１４ｅは、基板上に形成されたグランド接続用の導電路（不図示）に、例えば、半田接合される。これにより、グランド回路の電気的な接続が行われると共に、リセプタクルコネクタ１０が基板に固定される。
【００３６】
第２シェル部材１５は、導電性の金属部材によって形成される。第２シェル部材１５は、薄板状の金属部材をプレス加工することで形成される。第２シェル部材１５の前端は、図３に示すように、ハウジング１１に形成された圧入穴１１ｄに圧入される。第２シェル部材１５は、下方からハウジング１１の下壁部１１ｅに支持される。第２シェル部材１５は、ハウジング１１の下壁部１１ｅに沿って形成される。第２シェル部材１５は、ハウジング１１の下壁部１１ｅよりも後方に延びるように形成される。第２シェル部材１５は、ハウジング１１と共に嵌合空間４０を形成する。
【００３７】
第１シェル部材１４、および第２シェル部材１５は、リセプタクルコネクタ１０の内部に形成される信号伝達経路を外方から覆うことにより電磁遮蔽を行うシールド部材として装着される。
【００３８】
＜３．プラグコネクタ＞
次に、図１〜図９を参照してプラグコネクタ２０の構成について説明する。プラグコネクタ２０は、図４、５に示すように、ハウジング２１と、信号コンタクト部材２２と、第１シェル部材２３と、第２シェル部材２４（シェル部材）と、第１グランドバー２５と、第２グランドバー２６と、回動枠２７と、固定部材２８とを有する。
【００３９】
ハウジング２１は、絶縁性の樹脂によって形成される。ハウジング２１は、図３〜図６に示すように、本体部２１ａと、挿入部２１ｂとを有する。挿入部２１ｂは、本体部２１ａの前端から前方に向けて突出する。挿入部２１ｂは、図３に示すように、リセプタクルコネクタ１０の嵌合空間４０に挿入される。
【００４０】
ハウジング２１は、インサート成形によって、図５、および図６に示すように、信号コンタクト部材２２と一体的に形成される。ハウジング２１、および信号コンタクト部材２２は、信号コンタクト部材２２が、ハウジング２１の上表面２１ｃに露出するように形成される。
【００４１】
また、ハウジング２１は、図３、および図４に示すように、第２シェル部材２４と一体的に形成される。具体的には、ハウジング２１、および第２シェル部材２４は、図３〜図６に示すように、後述する第２シェル部材２４の延出部２４ｆ、および第２シェル部材２４の延出部２４ｈが、ハウジング２１の上表面２１ｃに露出するように形成される。また、ハウジング２１、および第２シェル部材２４は、図３、および図４に示すように、後述する第２シェル部材２４の下壁部２４ａがハウジング２１の下表面２１ｄに露出するように形成される。
【００４２】
ハウジング２１、信号コンタクト部材２２、および第２シェル部材２４は、図５、および図６に示すように、ハウジング２１の上表面２１ｃに第１グランドコンタクト部材２４ｂ、および一組の信号コンタクト部材２２がプラグコネクタ２０の長手方向（Ｙ軸正負方向）に沿って交互に露出するように設けられる。一組の信号コンタクト部材２２は、プラグコネクタ２０の長手方向に並んで配置された２本の信号コンタクト部材２２である。
【００４３】
一組の信号コンタクト部材２２は、プラグコネクタ２０の長手方向（Ｙ軸正負方向）において、一組の同軸ケーブル５０（図１参照）に対応する位置に配置される。一組の信号コンタクト部材２２は、一組の同軸ケーブル５０と同様に、プラグコネクタ２０の長手方向に沿って、予め設定された所定間隔を設けて配置される。
【００４４】
信号コンタクト部材２２は、導電性の金属部材によって形成される。信号コンタクト部材は、ハウジング２１の本体部２１ａから挿入部２１ｂにかけてプラグコネクタ２０の短手方向（Ｘ軸正負方向）に沿って形成される。
【００４５】
信号コンタクト部材２２は、図７に示すように、同軸ケーブル５０の中心導体５１と接触し、同軸ケーブル５０の中心導体５１と電気的に接続する。また、信号コンタクト部材２２は、リセプタクルコネクタ１０の信号コンタクト部材１３と接触し、リセプタクルコネクタ１０の信号コンタクト部材１３と電気的に接続する。
【００４６】
第１シェル部材２３は、図３に示すように、ハウジング２１の上方を覆うように装着される。第１シェル部材２３は、導電性の金属部材によって形成される。第１シェル部材２３は、薄板状の金属部材をプレス加工することで形成される。
【００４７】
また、第１シェル部材２３には、図１および図２に示すように、プラグコネクタ２０の長手方向（Ｙ軸正負方向）の両端に支持部２３ａが形成される。支持部２３ａは、下方が開口する略Ｕ字状に形成される。支持部２３ａは、固定部材２８が取り付けられた回動枠２７を回動可能に支持する。
【００４８】
第２シェル部材２４は、図３、および図４に示すように、ハウジング２１と一体的に形成される。第２シェル部材２４は、導電性の金属部材によって形成される。第２シェル部材２４は、薄板状の金属部材をプレス加工することで形成される。
【００４９】
第２シェル部材２４は、図８、および図９に示すように、下壁部２４ａと、第１グランドコンタクト部材２４ｂ（シェルグランド接続片）と、第２グランドコンタクト部材２４ｃ（グランド接続片）と、支持部２４ｄとを有する。
【００５０】
下壁部２４ａは、図３、および図４に示すように、ハウジング２１の下表面２１ｄに露出する。また、下壁部２４ａは、図３に示すように、リセプタクルコネクタ１０の第２シェル部材１５と接触し、リセプタクルコネクタ１０の第２シェル部材１５と電気的に接続する。
【００５１】
また、下壁部２４ａは、図３、および図４に示すように、ハウジング２１よりも後方で、第２グランドバー２６と接触し、第２グランドバー２６を介して同軸ケーブル５０の外導体５２（図３、図４、および図７参照）と電気的に接続する。すなわち、第２シェル部材２４は、同軸ケーブル５０の外導体５２と電気的に接続する。
【００５２】
第１グランドコンタクト部材２４ｂは、図３、図４、図８、および図９に示すように、突出部２４ｅと、延出部２４ｆとを有する。突出部２４ｅは、下壁部２４ａの前端から上方に向けて延びるように形成される。すなわち、突出部２４ｅは、下壁部２４ａから上方に向けて立ち上がるように形成される。
【００５３】
延出部２４ｆは、突出部２４ｅの上端から後方に向けて延びるように形成される。延出部２４ｆは、図３〜図６に示すように、ハウジング２１の上表面２１ｃに露出する。延出部２４ｆは、図３に示すように、リセプタクルコネクタ１０のグランドコンタクト部材１２の凸部１２ｄと接触する。すなわち、第１グランドコンタクト部材２４ｂは、リセプタクルコネクタ１０のグランドコンタクト部材１２に直接接触する。
【００５４】
また、延出部２４ｆは、図３、図４、および図７に示すように、凸部１２ｄと接触する箇所よりも後方で、後述する第１グランドバー２５のグランドフィンガー２５ｂと接触し、半田接合される。これにより、延出部２４ｆは、グランドフィンガー２５ｂと電気的に接続する。
【００５５】
第２グランドコンタクト部材２４ｃは、図３、図４、図８、および図９に示すように、突出部２４ｇと、延出部２４ｈとを有する。突出部２４ｇは、第１グランドコンタクト部材２４ｂよりも後方に形成され、下壁部２４ａから上方に向けて延びるように形成される。すなわち、突出部２４ｇは、第１グランドコンタクト部材２４ｂよりも同軸ケーブル５０寄りに形成され、下壁部２４ａから上方に向けて立ち上がるように形成される。
【００５６】
延出部２４ｈは、突出部２４ｇの上端から前方に向けて形成される。すなわち、延出部２４ｈは、突出部２４ｇの上端から第１グランドコンタクト部材２４ｂに向けて延びるように形成される。延出部２４ｈは、図３〜図６に示すように、ハウジング２１の上表面２１ｃに露出する。
【００５７】
延出部２４ｈは、図３、図４、および図７に示すように、後述する第１グランドバー２５のグランドフィンガー２５ｂと接触し、半田接合される。これにより、延出部２４ｈは、グランドフィンガー２５ｂ、および第１グランドコンタクト部材２４ｂの延出部２４ｆを介して、リセプタクルコネクタ１０のグランドコンタクト部材１２と電気的に接続する。
【００５８】
第１シェル部材２３、および第２シェル部材２４は、プラグコネクタ２０の内部に形成される信号伝達経路を外方から覆うことにより電磁遮断を行うシール部材として装着される。
【００５９】
支持部２４ｄは、図５、図６、図８、および図９に示すように、プラグコネクタ２０の長手方向（Ｙ軸正負方向）における下壁部２４ａの両端に形成される。支持部２４ｄは、上方が開口する略Ｕ字状に形成される。支持部２４ｄは、第１シェル部材２３の支持部２３ａ（図１、および図２参照）と共に、固定部材２８が取り付けられた回動枠２７（図１、および図２参照）を回動可能に支持する。
【００６０】
第１グランドバー２５は、図３、図４、および図７に示すように、本体部２５ａと、グランドフィンガー２５ｂ（グランド接続片、接続片）とを有する。第１グランドバー２５は、導電性の金属部材で形成される。
【００６１】
本体部２５ａは、図７に示すように、プラグコネクタ２０の長手方向（Ｙ軸正負方向）に沿って延びるように形成される。本体部２５ａは、プラグコネクタ２０の長手方向に沿って配置された複数の同軸ケーブル５０の外導体５２と接触し、複数の同軸ケーブル５０の外導体５２と電気的に接続する。すなわち、第１グランドバー２５は、複数の同軸ケーブル５０の外導体５２を電気的に接続する。
【００６２】
グランドフィンガー２５ｂは、図３、図４、および図７に示すように、本体部２５ａの前端から前方に向けて突出する。また、グランドフィンガー２５ｂは、斜め下方に向けて突出する。グランドフィンガー２５ｂの前端は、第１グランドコンタクト部材２４ｂの延出部２４ｆと半田接合される。
【００６３】
また、グランドフィンガー２５ｂは、グランドフィンガー２５ｂの前端よりも後方、すなわち、同軸ケーブル５０寄りで第２グランドコンタクト部材２４ｃの延出部２４ｈと半田接合される。
【００６４】
このように、グランドフィンガー２５ｂは、第１グランドコンタクト部材２４ｂの延出部２４ｆと、第２グランドコンタクト部材２４ｃの延出部２４ｈとを電気的に接続する。
【００６５】
第２グランドバー２６は、導電性の金属部材で形成される。第２グランドバー２６は、図７に示すように、プラグコネクタ２０の長手方向（Ｙ軸正負方向）に沿って延びるように形成される。第２グランドバー２６は、プラグコネクタ２０の長手方向に沿って配置された複数の同軸ケーブル５０の外導体５２と接触し、複数の同軸ケーブル５０の外導体５２と電気的に接続する。また、第２グランドバー２６は、第２シェル部材２４の下壁部２４ａと接触し、下壁部２４ａと電気的に接続する。
【００６６】
回動枠２７は、図１、および図２に示すように、略Ｕ字状に形成され、後端が第１シェル部材２３の支持部２３ａ、および第２シェル部材２４の支持部２４ｄによって回動可能に支持される。
【００６７】
固定部材２８は、上壁部２８ａと、前壁部２８ｂと、取付部２８ｃ、２８ｄとを有する。固定部材２８は、取付部２８ｃ、２８ｄによって回動枠２７に取り付けられ、回動枠２７と共に回動する。
【００６８】
前壁部２８ｂは、プラグコネクタ２０をリセプタクルコネクタ１０に嵌合させた状態では、図３に示すように、リセプタクルコネクタ１０よりも前方に位置するように形成される。これにより、プラグコネクタ２０に対し、後方に向けた力、すなわち、プラグコネクタ２０を抜去させる力が作用した場合に、前壁部２８ｂはリセプタクルコネクタ１０の前壁部１４ｂに当接し、プラグコネクタ２０が抜去することを抑制することができる。
【００６９】
すなわち、前壁部２８ｂは、リセプタクルコネクタ１０の前壁部１４ｂと共に、プラグコネクタ２０が抜去することを抑制するストッパーとして機能する。
【００７０】
＜４．グランド経路＞
プラグコネクタ２０の挿入部２１ｂが、リセプタクルコネクタ１０の嵌合空間４０に挿入されることで、プラグコネクタ２０がリセプタクルコネクタ１０に嵌合される。プラグコネクタ２０がリセプタクルコネクタ１０に嵌合された状態では、同軸ケーブル５０の外導体５２に接続する３つのグランド経路（第１グランド経路、第２グランド経路、および第３グランド経路）が形成される。
【００７１】
第１グランド経路は、リセプタクルコネクタ１０のグランドコンタクト部材１２に直接接触する第２シェル部材２４の第１グランドコンタクト部材２４ｂによって形成される。具体的には、第１グランド経路は、グランドコンタクト部材１２、第２シェル部材２４の第１グランドコンタクト部材２４ｂ、第２シェル部材２４の下壁部２４ａ、および第２グランドバー２６によって形成される。
【００７２】
第２グランド経路は、第１グランドバー２５によって形成される。具体的には、第２グランド経路は、リセプタクルコネクタ１０の第２シェル部材１５、第２シェル部材２４の下壁部２４ａ、第１グランドコンタクト部材２４ｂの突出部２４ｅ、第１グランドコンタクト部材２４ｂの延出部２４ｆ、第１グランドバー２５のグランドフィンガー２５ｂ、および第１グランドバー２５の本体部２５ａによって形成される。
【００７３】
第３グランド経路は、第２シェル部材２４の第２グランドコンタクト部材２４ｃによって形成される。具体的には、第３グランド経路は、リセプタクルコネクタ１０の第２シェル部材１５、第２シェル部材２４の下壁部２４ａ、第２グランドコンタクト部材２４ｃの突出部２４ｇ、第２グランドコンタクト部材２４ｃの延出部２４ｈ、第１グランドバー２５のグランドフィンガー２５ｂ、および第１グランドバー２５の本体部２５ａによって形成される。
【００７４】
プラグコネクタ２０は、第２シェル部材２４の第１グランドコンタクト部材２４ｂを、リセプタクルコネクタ１０のグランドコンタクト部材１２と直接接触させて、第１グランド経路を形成する。また、プラグコネクタ２０は、リセプタクルコネクタ１０の第２シェル部材１５と同軸ケーブル５０の外導体５２とを電気的に接続し、第１グランド経路とは異なるグランド経路である第２グランド経路、および第３グランド経路を形成する。
【００７５】
本実施形態を用いない比較例として、プラグコネクタの短手方向（Ｘ軸正負方向）に延びるコンタクト部材を介して、リセプタクルコネクタのグランドコンタクト部材と、同軸ケーブルの外導体とをグランド接続するプラグコネクタが考えられる。
【００７６】
比較例に係るプラグコネクタでは、コンタクト部材を用いて形成されるグランド経路が差動信号の波長、または半波長に対して同程度の長さになり、図１０に示すシミュレーション結果のように、差動信号の周波数に近い１７ＧＨｚの近傍で共振が生じる。
【００７７】
これに対し、実施形態に係るプラグコネクタ２０では、第２シェル部材２４の第１グランドコンタクト部材２４ｂを、リセプタクルコネクタ１０のグランドコンタクト部材１２と直接接触させることで、グランド経路を短くすることができる。これにより、プラグコネクタ２０は、図１１に示すシミュレーション結果のように、差動信号に影響を及ぼさない、より高周波帯（実施形態においては３４ＧＨｚ）に共振をずらすことができる。
【００７８】
また、プラグコネクタ２０は、第１グランド経路〜第３グランド経路を形成し、グランド経路を多くすることで、共振の大きさを小さくすることができる。
【００７９】
このように、実施形態に係るプラグコネクタ２０は、第１グランド経路〜第３グランド経路を形成することで、共振の発生を抑制し、クロストーク共振のピーク値を抑制することができる。
【００８０】
また、第２グランド経路を形成するグランドフィンガー２５ｂを、第１グランドコンタクト部材２４ｂよりも同軸ケーブル５０寄りに形成することで、プラグコネクタ２０の短手方向（Ｘ軸正負方向）の長さが長くなることを抑制しつつ、クロストーク共振のピーク値を抑制することができる。
【００８１】
また、グランドフィンガー２５ｂを第１グランドコンタクト部材２４ｂの延出部２４ｆに接合し、第２グランド経路を形成することで、部品点数の増加を抑制しつつ、クロストーク共振のピーク値を抑制することができる。
【００８２】
また、第３グランド経路を形成する第２グランドコンタクト部材２４ｃを、第１グランドコンタクト部材２４ｂよりも同軸ケーブル５０寄りに形成することで、プラグコネクタ２０の短手方向（Ｘ軸正負方向）の長さが長くなることを抑制しつつ、クロストーク共振のピーク値を抑制することができる。
【００８３】
また、第２グランドコンタクト部材２４ｃを第２シェル部材２４に形成することで、部品点数を増加させずに、クロストーク共振のピーク値を抑制することができる。
【００８４】
また、第２グランドコンタクト部材２４ｃを、第２シェル部材２４から立ち上がる突出部２４ｇと、突出部２４ｇから第１グランドコンタクト部材２４ｂに向けて延びる延出部２４ｈとによって形成し、延出部２４ｈを第１グランドバー２５のグランドフィンガー２５ｂに接合し、第３グランド経路を形成する。これにより、第２シェル部材２４をプレス加工によって形成することができ、部品点数を増加させずに、第２グランドコンタクト部材２４ｃを容易に形成することができ、クロストーク共振のピーク値を抑制することができる。
【００８５】
また、第１グランドコンタクト部材２４ｂと、第２グランドコンタクト部材２４ｃとを第１グランドバー２５のグランドフィンガー２５ｂに接合する。これにより、グランドフィンガー２５ｂを共通部品として用いた第２グランド経路、および第３グランド経路を形成することができる。また、グランドフィンガー２５ｂと、第１グランドコンタクト部材２４ｂの延出部２４ｆ、および第２グランドコンタクト部材２４ｃの延出部２４ｈとの接合面積を大きくすることができ、例えば、半田接合を容易に行うことができる。
【００８６】
＜５．プラグコネクタの他の構成＞
上記プラグコネクタ２０では、第１グランド経路〜第３グランド経路を形成したが、これに限られることはない。変形例に係るプラグコネクタ２０では、第１グランド経路、および第３グランド経路のみを形成してもよい。
【００８７】
変形例に係るプラグコネクタ２０は、図１２に示すシミュレーション結果のように、差動信号に影響を及ぼさない、より高周波帯（変形例においては３０ＧＨｚ）に共振をずらすことができる。また、変形例に係るプラグコネクタ２０は、図１０に示すシミュレーション結果に対し、共振の大きさを小さくすることできる。すなわち、変形例に係るプラグコネクタ２０においても、上記実施形態と同様の効果を得ることができる。
【００８８】
なお、変形例に係るプラグコネクタ２０は、第１グランド経路、および第２グランド経路のみを形成してもよい。これによっても、同様の効果を得ることができる。
【００８９】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００９０】
１      電気コネクタ
１０    リセプタクルコネクタ（相手コネクタ）
１２    グランドコンタクト部材
２０    プラグコネクタ（電気コネクタ）
２３    第１シェル部材
２４    第２シェル部材（シェル部材）
２４ｂ  第１グランドコンタクト部材（シェルグランド接続片）
２４ｃ  第２グランドコンタクト部材（グランド接続片）
２４ｇ  突出部
２４ｈ  延出部
２５    第１グランドバー
２５ｂ  グランドフィンガー（グランド接続片、接続片）
５０    同軸ケーブル
５２    外導体
【図１】
2020184475.tif 000003
【図２】
2020184475.tif 000004
【図３】
2020184475.tif 000005
【図４】
2020184475.tif 000006
【図５】
2020184475.tif 000007
【図６】
2020184475.tif 000008
【図７】
2020184475.tif 000009
【図８】
2020184475.tif 000010
【図９】
2020184475.tif 000011
【図１０】
2020184475.tif 000012
【図１１】
2020184475.tif 000013
【図１２】
2020184475.tif 000014